(57)【要約】【課題】フィット性が高いパッド状吸収性物品に関する。【解決手段】パッド状吸収性物品は、液透過性の表面シートと、裏面シートと、吸収体と、粘着部と、を備え、着用者の前後方向に対応する縦方向及び上記縦方向に直交する横方向を有する。上記吸収性コアは、前方コア部及び後方コア部と、上記前方コア部及び上記後方コア部の間に位置し、一対の括れ領域によって上記前方コア部及び上記後方コア部よりも幅狭に形成された中間コア部と、を有する。上記中間コア部は、上記縦方向に２等分する直線で区分された前半部分及び後半部分が、上記直線に関して相互に非対称になるように構成される。上記粘着部は、上記前半部分、上記一対の括れ領域各々及び上記後半部分を通って上記縦方向にそれぞれ延びる一対の横方向周縁部を含む。【選択図】図４
2019205781.tif 000002
【特許請求の範囲】
【請求項１】
液透過性の表面シートと、裏面シートと、吸収性コアを有し表面シート及び裏面シートの間に配置された吸収体と、前記裏面シートの外面に設けられた粘着部と、を備え、着用者の前後方向に対応する縦方向及び前記縦方向に直交する横方向を有するパッド状吸収性物品であって、
前記吸収性コアは、
前方コア部及び後方コア部と、前記前方コア部及び前記後方コア部の間に位置し、一対の括れ領域によって前記前方コア部及び前記後方コア部よりも幅狭に形成された中間コア部と、を有し、
前記中間コア部は、前記縦方向に２等分する直線で区分された前半部分及び後半部分が、前記直線に関して相互に非対称になるように構成され、
前記粘着部は、前記前半部分、前記一対の括れ領域各々及び前記後半部分を通って前記縦方向にそれぞれ延びる一対の横方向周縁部を含む
パッド状吸収性物品。
【請求項２】
前記中間コア部では、前記後半部分が、前記前半部分よりも平面視において大きな面積を有する
請求項１に記載のパッド状吸収性物品。
【請求項３】
前記中間コア部は、
前記前方コア部に向かって幅寸法が漸増する前方テーパ領域と、
前記後方コア部に向かって幅寸法が漸増し、前記前方テーパ領域よりも単位長さあたりの幅寸法の増加量が小さい後方テーパ領域と、を含む
請求項２に記載のパッド状吸収性物品。
【請求項４】
前記後方テーパ領域は、前記前方テーパ領域よりも前記縦方向に沿って大きな長さ寸法を有する
請求項３に記載のパッド状吸収性物品。
【請求項５】
前記前方テーパ領域及び前記後方テーパ領域の外縁は曲線で構成され、
前記前方テーパ領域の外縁は、前記後方テーパ領域の外縁よりも大きな曲率半径を有する
請求項３又は４に記載のパッド状吸収性物品。
【請求項６】
前記後方テーパ領域は、前記前方テーパ領域よりも大きな坪量を有する
請求項３から５のいずれか一項に記載のパッド状吸収性物品。
【請求項７】
前記中間コア部は、前記後半部分に形成され、前記括れ領域に向かって凸状に突出する凸状部を含む
請求項２から６のいずれか一項に記載のパッド状吸収性物品。
【請求項８】
前記吸収性コアは、前記中間コア部における前記後方コア部との境界部分に形成され前記横方向に延びる境界溝部をさらに有する
請求項１から７のいずれか一項に記載のパッド状吸収性物品。
【請求項９】
前記吸収体は、前記吸収性コアを被覆するコアラップシートをさらに有し、
前記コアラップシートは、前記吸収性コアを被覆するコア被覆部と、前記一対の括れ領域を被覆する一対の括れ被覆部と、を有する
請求項１から８のいずれか一項に記載のパッド状吸収性物品。
【請求項１０】
前記一対の括れ被覆部は、前記表面シート及び前記裏面シートに接合される
請求項９に記載のパッド状吸収性物品。
【請求項１１】
前記表面シートは、少なくとも前記一対の括れ被覆部上の領域に形成された、厚み方向に圧縮された線状エンボス部と、前記線状エンボス部に囲まれて前記厚み方向外方に突出する凸部と、を有し、
前記線状エンボス部は、前記横方向にそれぞれ傾斜し、相互に交差する第１線状エンボス群及び第２線状エンボス群を含む
請求項１０に記載のパッド状吸収性物品。
【発明の詳細な説明】
【技術分野】
【０００１】
本発明は、生理用ナプキン等のパッド状吸収性物品に関する。
【背景技術】
【０００２】
生理用ナプキン等のように、着衣（下着）の内側に配して使用するタイプの吸収性物品が知られている。このようなタイプの吸収性物品においては、装着中の吸収性物品のずれを防止するために、吸収性物品に着衣と固定するためのずれ止め材が設けられている（例えば特許文献１参照）。
【先行技術文献】
【特許文献】
【０００３】
【特許文献１】特開２０１５−９７７１８号公報
【発明の概要】
【発明が解決しようとする課題】
【０００４】
生理用ナプキン等の吸収性物品は、典型的には、人の股間幅よりも広い幅を有する。このため、装着時において左右外側から幅方向内方へ向かう外力が加わると、吸収性コアの中央領域に排泄領域とのフィット性が低下するような変形が生じ、液漏れが生じやすくなる。また、ずれ止め材によって吸収性物品が着衣に固定されていた場合にも、着衣は吸収性コアよりも低剛性であることが多いため、吸収性コアの変形を抑制することが難しい。このため、外力に対して吸収性コアの変形を抑制する技術が望まれている。
【０００５】
本発明の課題は、フィット性が高いパッド状吸収性物品に関する。
【課題を解決するための手段】
【０００６】
本発明の一形態に係るパッド状吸収性物品は、液透過性の表面シートと、裏面シートと、吸収性コアを有し表面シート及び裏面シートの間に配置された吸収体と、上記裏面シートの外面に設けられた粘着部と、を備え、着用者の前後方向に対応する縦方向及び上記縦方向に直交する横方向を有する。
上記吸収性コアは、前方コア部及び後方コア部と、上記前方コア部及び上記後方コア部の間に位置し、一対の括れ領域によって上記前方コア部及び上記後方コア部よりも幅狭に形成された中間コア部と、を有する。
上記中間コア部は、上記縦方向に２等分する直線で区分された前半部分及び後半部分が、上記直線に関して相互に非対称になるように構成される。
上記粘着部は、上記前半部分、上記一対の括れ領域各々及び上記後半部分を通って上記縦方向にそれぞれ延びる一対の横方向周縁部を含む。
【発明の効果】
【０００７】
以上のように、本発明のパッド状吸収性物品によれば、フィット性を高めることが可能である。
【図面の簡単な説明】
【０００８】
【図１】本発明の一実施形態のパッド状吸収性物品を示す平面図である。
【図２】図１のII−II線で切断した断面図である。
【図３】上記パッド状吸収性物品の吸収性コアを示す平面図である。
【図４】上記パッド状吸収性物品を裏面シート側から見た平面図である。
【図５】上記吸収性コアの中間コア部と上記裏面シートに設けられた粘着部とを示す、模式的な拡大平面図である。
【図６】本実施形態の他の構成例に係る吸収性コア及び粘着部の形状を示す模式的な拡大平面図である。
【図７】本実施形態の他の構成例に係る吸収性コア及び粘着部の形状を示す模式的な拡大平面図である。
【図８】本実施形態の他の構成例に係る吸収性コア及び粘着部の形状を示す模式的な拡大平面図である。
【図９】本実施形態の他の構成例に係る吸収性コア及び粘着部の形状を示す模式的な拡大平面図である。
【図１０】本実施形態の他の構成例に係る吸収性コア及び粘着部の形状を示す模式的な拡大平面図である。
【図１１】上記吸収性コアの模式的な側面図である。
【図１２】上記吸収体の平面図である。
【図１３】上記パッド状吸収性物品の一部の拡大平面図であり、表面シートの構成を模式的に示す図である。
【図１４】上記表面シートの斜視図である。
【図１５】図１４のXV線で切断した断面の一部を示す拡大断面図である。
【発明を実施するための形態】
【０００９】
以下、図面を参照しながら、本発明の実施形態を説明する。
【００１０】
［ナプキンの全体構成］
図１に示すパッド状吸収性物品１は、本体Ｍと、一対のウイング部Ｗと、一対のサイドガードＧと、一対の後方フラップ部Ｆと、圧搾溝部Ｅと、を備える。パッド状吸収性物品１は、生理用ナプキンとして構成され、以下、ナプキン１と称する。
ナプキン１は、着用者の前後方向に対応する縦方向Ｘと、着用者の左右方向に対応し縦方向Ｘに直交する横方向Ｙとを有する。さらに、ナプキン１は、縦方向Ｘ及び横方向Ｙの双方に直交する厚み方向Ｚを有する。なお、本明細書では、厚み方向Ｚに関しては、着用時に着用者の肌に近い側を上、着衣に近い側を下という事がある。ナプキン１は、就寝時に使用されてもよく、例えば縦方向Ｘに沿って３０ｃｍ以上の長さを有していてもよい。
【００１１】
本体Ｍは、縦方向Ｘに沿って延び、着用時に着用者の着衣の内面に固定される。本体Ｍは、後述する吸収体１１を有しており、着用者の経血等の液状物（以下、「液」とも称する）を吸収する機能を有する。
【００１２】
ウイング部Ｗは、本体Ｍから横方向Ｙの外方に大きく突出するように構成される。
サイドガードＧは、本体Ｍの横方向Ｙ周縁において、縦方向Ｘに延びるように配置される。
後方フラップ部Ｆは、本体Ｍの後方部において横方向Ｙの外方に膨出するように構成される。
なお、ナプキン１は、ウイング部Ｗ、サイドガードＧ、及び後方フラップ部Ｆのうちの少なくとも一つを有さなくてもよい。
【００１３】
圧搾溝部Ｅは、後述する表面シート１２から厚み方向Ｚ下方に向かって圧縮されて形成された線状の溝部である。圧搾溝部Ｅは、例えば、本体Ｍの周縁部を囲むように構成される。圧搾溝部Ｅは、高い毛管力によって液を誘導し、本体Ｍ外方への液の漏れを防止するとともに、以下で説明する表面シート１２及び吸収体１１等を接合する機能等を有する。なお、圧搾溝部Ｅは、図１に示す形状に限定されない。
【００１４】
図２に示すように、ナプキン１は、吸収体１１と、表面シート１２と、裏面シート１３と、一対のサイドシート１４と、粘着部１５と、を備える。本体Ｍにおいて、ナプキン１は、裏面シート１３、吸収体１１、及び表面シート１２が厚み方向Ｚに積層された構成を有する。これらの構成は、例えば、接着剤やヒートシール等による接合、及び圧搾溝部Ｅによるエンボス加工等によって、適宜接合されて一体化している。
【００１５】
吸収体１１は、縦方向Ｘに沿って延び、表面シート１２と裏面シート１３との間に配置される。吸収体１１は、液を表面シート１２側の面から吸収し、内部で拡散させて当該液を保持する。
吸収体１１は、吸収性コア１６と、コアラップシート１７と、を有する。
吸収性コア１６は、例えば、パルプ繊維等の親水性繊維で構成された繊維集合体で形成されてもよいし、当該繊維集合体に吸水性ポリマーを保持させた構成を有していてもよい。
コアラップシート１７は、吸収性コア１６を被覆し、例えば吸収性コア１６の形状を保持する機能等を有する。コアラップシート１７は、例えばティッシュペーパー状の薄く柔らかい紙や液透過性の不織布等で形成される。
吸収体１１の詳細については後述する。
【００１６】
表面シート１２は、液透過性のシート材として構成され、吸収体１１の厚み方向Ｚ上方に配置される。なお、表面シート１２と吸収体１１との間には、表面シート１２から吸収体１１への液の透過性の向上、吸収体１１に吸収された液の表面シート１２への液戻りの防止等の観点から、セカンドシート（サブレイヤーシート）が配置されていてもよい。
【００１７】
裏面シート１３は、吸収体１１の厚み方向Ｚ下方に配置される。裏面シート１３は、例えば周縁部において、表面シート１２及びサイドシート１４と接着剤、熱シール等によって接合される。裏面シート１３は、接着剤等によって吸収体１１に接合されていてもよい。
裏面シート１３は、例えば、液難透過性、水蒸気透過性及び撥水性等の機能を有するシート材で形成される。当該シート材としては、例えば熱可塑性樹脂のフィルムや、当該フィルムと不織布とのラミネート等を用いることができる。このような裏面シート１３は、吸収性コア１６よりも低い剛性を有する。
【００１８】
一対のサイドシート１４は、表面シート１２を挟んで左右方向に相互に対向し、ナプキン１の横方向Ｙ周縁に配置される。サイドシート１４は、本実施形態において、横方向Ｙ周縁部が外側に折り返されて、サイドガードＧを構成する。サイドシート１４は、サイドガードＧの基部において接着剤等により表面シート１２に接合される。
【００１９】
粘着部１５は、裏面シート１３の外面に設けられ、ナプキン１を着衣に対して固定させるずれ止め材としての機能を有する。
粘着部１５は、例えば、裏面シート１３に所定のパターンで粘着剤を塗工することにより形成される。粘着部１５に用いられる粘着剤として、好ましくは、ゴム系、オレフィン系、エチレン酢酸ビニル（ＥＶＡ）系等のホットメルト粘着剤が用いられる。
本実施形態において、粘着部１５は、本体Ｍに形成された粘着剤の塗工膜をいうものとする。なお、図２及び図４に示すように、ナプキン１は、粘着部１５と同様の粘着剤の塗工膜として、ウイング部Ｗに設けられたウイング粘着部１８を備えていてもよく、さらに後方フラップ部Ｆに設けられた後方フラップ粘着部１９を備えていてもよい。
【００２０】
［吸収性コアの構成］
図３に示すように、吸収性コア１６は、前方コア部２０と、中間コア部２１と、後方コア部２２と、を有する。前方コア部２０、中間コア部２１及び後方コア部２２は、縦方向Ｘに沿って並んでおり、前方コア部２０及び後方コア部２２の間に中間コア部２１が位置する。中間コア部２１は、着用者の排泄領域に対向する領域であり、前方コア部２０及び後方コア部２２は、着用者の排泄領域の前方及び後方にそれぞれ対向する部分である。吸収性コア１６は、横方向Ｙにおいて左右対称な平面形状を有する。
【００２１】
中間コア部２１は、一対の括れ領域２１ｓによって前方コア部２０及び後方コア部２２よりも幅狭に構成される。
括れ領域２１ｓは、図３に示すように吸収性コア１６を構成するコア材が存在しない空間領域であり、本実施形態では、後述するようにコアラップシート１７によって区画されている。括れ領域２１ｓには、コア材の本体は存在しないが、吸収性コア１６の周縁から外方へ突出した繊維や、吸収性コア１６から分離したコア材の一部が部分的に存在してもよい。
【００２２】
前方コア部２０の横方向Ｙの幅寸法Ｄ１及び後方コア部２２の横方向Ｙの幅寸法Ｄ３は同一でも異なっていてもよく、図３に示す例では、略同一の寸法を有する。前方コア部２０の幅寸法Ｄ１及び後方コア部２２の幅寸法Ｄ３は、横方向Ｙにおける最大幅寸法をいうものとする。
また、図３に示す例では、前方コア部２０の幅寸法Ｄ１及び後方コア部２２の幅寸法Ｄ３が縦方向Ｘに沿って一定であるが、一定でなくてもよい。なお、ある領域において「幅が一定」とは、当該領域の横方向Ｙにおける最小幅を１００％としたときに、各領域内の幅寸法の差異が２０％以下に収まっていることをいう。
前方コア部２０及び後方コア部２２の縦方向Ｘの長さ寸法は同一でも異なっていてもよく、例えば後方コア部２２がより長く構成される。
【００２３】
中間コア部２１は、図３に示す例において、前後端部にテーパ形状を有し、縦方向Ｘの中間部に幅寸法が最小となる幅狭領域２３を有する。幅狭領域２３の幅寸法Ｄ２は、前方コア部２０の幅寸法Ｄ１及び後方コア部２２の幅寸法Ｄ３よりも小さく、縦方向Ｘに沿って一定に構成される。
幅狭領域２３の幅寸法Ｄ２は、例えば、一般的な着用者の股間幅（約３０ｍｍ）よりも大きく形成される。このような寸法例としては、４０ｍｍ以上７５ｍｍ以下であり、好ましくは、５０ｍｍ以上７０ｍｍ以下である。これにより、中間コア部２１が十分な幅を有して着用者に対して安心感を与えることができるとともに、前方コア部２０及び後方コア部２２よりも幅狭に構成しやすくすることができる。
【００２４】
中間コア部２１が前方コア部２０及び後方コア部２２よりも幅狭に構成されることで、着用者の脚から横方向Ｙ内方に向かって付加される外力の影響を低減することができる。これにより、中間コア部２１が当該外力によって横方向Ｙに圧縮変形することを抑制することができ、着用者との間に隙間が発生することを防止することができる。したがって、ナプキン１のフィット性を高め、排泄された液が当該隙間を伝ってナプキン１の外方に漏れることを防止できる。
【００２５】
［中間コア部２１の平面形状］
図３に示すように、中間コア部２１は、縦方向Ｘに２等分する直線Ｌで区分された前半部分２１ａ及び後半部分２１ｂが、直線Ｌに関して相互に非対称になるように構成される。これにより、前半部分２１ａ及び後半部分２１ｂでは、横方向Ｙの外縁の形状が相互に異なっている。
【００２６】
図３に示す中間コア部２１では、後半部分２１ｂが、前半部分２１ａよりも緩やかなテーパ形状を有する。これにより、中間コア部２１では、後半部分２１ｂが前半部分２１ａよりも平面視において大きな面積を有する。
なお、「平面視における面積」とは、ナプキン１を縦方向Ｘ及び横方向Ｙからなる平面上に延ばした場合の、当該平面に投影された面積をいうものとする。
【００２７】
中間コア部２１は、幅狭領域２３に加えて、前方コア部２０に向かって幅寸法が漸増する前方テーパ領域２４と、後方コア部２２に向かって幅寸法が漸増する後方テーパ領域２５と、を含む。
前方テーパ領域２４は、前半部分２１ａに形成され、後方テーパ領域２５は、後半部分２１ｂに形成される。但しこの構成に限定されず、後方テーパ領域２５が前半部分２１ａから形成されていてもよい（図７参照）。
【００２８】
後方テーパ領域２５は、前方テーパ領域２４よりも単位長さあたりの幅寸法の増加量が小さくなるように構成される。前方テーパ領域２４における単位長さあたりの幅寸法の増加量は、前方テーパ領域２４の最大幅寸法（例えば前方コア部２０の幅寸法Ｄ１）から最小幅寸法（例えば幅狭領域２３の幅寸法Ｄ２）を減じた値を、前方テーパ領域２４の長さ寸法Ｄ４で除して算出することができる。同様に、後方テーパ領域２５における単位長さあたりの幅寸法の増加量は、後方テーパ領域２５の最大幅寸法（例えば後方コア部２２の幅寸法Ｄ３）から最小幅寸法（例えば幅狭領域２３の幅寸法Ｄ２）を減じた値を、後方テーパ領域２５の長さ寸法Ｄ５で除して算出することができる。
【００２９】
図３に示す例では、前方テーパ領域２４の最大幅寸法Ｄ１及び後方テーパ領域２５の最大幅寸法Ｄ３は、いずれも同一であり、かつ、前方テーパ領域２４及び後方テーパ領域２５の最小幅寸法Ｄ２も同一である。このため、後方テーパ領域２５の長さ寸法Ｄ５は、前方テーパ領域２４の長さ寸法Ｄ４よりも大きく構成される。
【００３０】
このように、図３に示す中間コア部２１は、前方テーパ領域２４において急激に幅が広がる形状を有し、後方テーパ領域２５において緩やかに幅が広がる形状を有する。これにより、前方テーパ領域２４は、着用者における幅狭の排泄領域から前方（上方）に向かって急激に幅が広がる鼠径部にフィットする形状となる。一方、後方テーパ領域２５は、排泄領域から緩やかに幅が広がる臀部にフィットする形状となる。したがって、ナプキン１を着用者の身体形状に沿った形状とすることができ、ナプキン１のフィット性及び着用感を向上させることができる。
これに加えて、裏面シート１３に以下のような粘着部１５を設けることで、着用時における吸収性コア１６の圧縮変形を効果的に防止し、ナプキン１のフィット性をさらに高めることができる。
【００３１】
［粘着部の構成］
図４及び図５に示すように、粘着部１５は、例えば縦方向Ｘに沿った帯状の２つの粘着パターン１５ｎで構成される。各粘着パターン１５ｎは、横方向Ｙに離間しつつ、いずれも前方コア部２０から後方コア部２２まで延びている。
なお、図４では、裏面シート１３に設けられた粘着部１５を一点鎖線で、吸収性コア１６を破線で、それぞれ示している。図５では、吸収性コア１６を実線で示しており、それに重なる粘着部１５の概形を破線で、粘着部１５の形成領域を斜線で、それぞれ示している。また、図５では、粘着部１５及び吸収性コア１６の横方向Ｙにおける左右対称性に鑑み、一方の側（図４の紙面向かって右側）のみを拡大して示し、さらに、中間コア部２１のテーパ形状を誇張して示している。
【００３２】
粘着部１５は、上記の例の他、例えば縦方向Ｘに沿った帯状の３本以上の粘着パターン１５ｎを有していてもよいし、連続的に塗工された単一の塗工パターンで構成されてもよい。あるいは、横方向Ｙに沿った複数の帯状のパターン、ドット状のパターン等で構成されてもよい。
【００３３】
図４及び図５に示すように、粘着部１５は、前半部分２１ａ、各括れ領域２１ｓ及び後半部分２１ｂを通って縦方向Ｘに延び、横方向Ｙに対向する一対の周縁部（周縁部）１５ｐを含む。周縁部１５ｐは、各粘着パターン１５ｎの横方向Ｙ外側の周縁部に相当する。
粘着部１５の周縁部１５ｐは、以下に説明するように、ナプキン１が受ける横方向Ｙ内方に向かう外力に対して緩衝作用を発揮することができる。
【００３４】
図５に示すように、周縁部１５ｐは、さらに、前方粘着領域１５ａ、括れ粘着領域１５ｓ、及び後方粘着領域１５ｂを含む。
前方粘着領域１５ａは、前半部分２１ａと厚み方向Ｚに重なる領域であり、図５では前方テーパ領域２４と厚み方向Ｚに重なる領域である。
括れ粘着領域１５ｓは、括れ領域２１ｓと厚み方向Ｚに重なる領域である。
後方粘着領域１５ｂは、後半部分２１ｂと厚み方向Ｚに重なる領域であり、図５では後方テーパ領域２５と厚み方向Ｚに重なる領域である。
【００３５】
括れ粘着領域１５ｓには、剛性の高い吸収性コア１６が配置されていない。このため、括れ粘着領域１５ｓは、横方向Ｙ内方に向かう外力によって、剛性の低い裏面シート１３及び着衣とともに横方向Ｙに圧縮されて変形する。当該圧縮変形によって、前方粘着領域１５ａ及び後方粘着領域１５ｂには、縦方向Ｘの成分を有する引張力（張力）が生じる。前方粘着領域１５ａ及び後方粘着領域１５ｂは、剛性の高い吸収性コア１６の存在により変形しにくいため、上記張力に対して抗力を及ぼすことができる。
このように、粘着部１５の周縁部１５ｐが横方向Ｙの外力に対して緩衝作用を発揮し、吸収性コア１６に及ぶ外力の影響を低減することができる。
【００３６】
［ナプキンの作用効果］
中間コア部２１は、前方コア部２０及び後方コア部２２に対して幅狭に構成される。これにより、ナプキン１では、着用者の両脚によって付加される横方向Ｙ内方の外力の影響を低減させ、中間コア部２１の圧縮変形を防止することができる。
【００３７】
さらに、粘着部１５は、中間コア部２１の前半部分２１ａ、括れ領域２１ｓ及び中間コア部２１の後半部分２１ｂを通って縦方向Ｘに延びる横方向周縁部１５ｐを含む。
これにより、横方向Ｙの外力によって括れ領域２１ｓ下の括れ粘着領域１５ｓが横方向Ｙに圧縮変形された場合、難変形領域である前半部分２１ａ下の前方粘着領域１５ａ及び後半部分２１ｂ下の粘着領域１５ｂが、当該圧縮変形に対する抗力を及ぼす。
したがって、括れ粘着領域１５ｓの変形によって上記外力の影響が緩和され、着用時における中間コア部２１の圧縮変形を効果的に抑制することができる。これにより、着用者と中間コア部２１との間の隙間の発生を抑制でき、ナプキン１のフィット性を向上させることができる。さらに、隙間の発生に伴う排泄された液の伝い漏れや着用時の不快感を抑制することができる。
【００３８】
また、中間コア部２１は、縦方向Ｘに２等分された前半部分２１ａ及び後半部分２１ｂにおいて、後半部分２１ｂが、前半部分２１ａよりも平面視において大きな面積を有する。
このため、後半部分２１ｂと重なる後方粘着領域１５ｂが、前半部分２１ａと重なる前方粘着領域１５ａよりも平面視において大きな面積を有する。これにより、可変領域である括れ粘着領域１５ｓと後方コア部２２との間に十分な大きさの難変形領域（後方粘着領域１５ｂ）が配置され、括れ粘着領域１５ｓの変形に起因する張力が後方コア部２２に伝搬することを防止できる。したがって、後方コア部２２の圧縮変形も効果的に抑制することができる。
【００３９】
加えて、中間コア部２１は、前方コア部２０に向かって幅寸法が漸増する前方テーパ領域２４と、後方コア部２２に向かって幅寸法が漸増し、前方テーパ領域２４よりも単位長さあたりの幅寸法の増加量が小さい後方テーパ領域２５と、を含む。
上記構成により、前方テーパ領域２４は、着用者における、幅狭の排泄領域から前方（上方）に向かって急激に幅が広がる鼠径部にフィットする形状とすることができる。したがって、大腿部前方からの外力の影響が前方コア部２０に伝搬することを抑制することができる。これにより、ナプキン１前方におけるフィット性を高め、隙間の発生を防止することができる。
また、後方テーパ領域２５は、排泄領域から緩やかに幅が広がる臀部にフィットする形状とすることができる。さらに、後方テーパ領域２５と重なる周縁部１５ｐの後方粘着領域１５ｂを、前方テーパ領域２４と重なる周縁部１５ｐの前方粘着領域１５ａよりも大きな面積で構成することができる。これにより、後方粘着領域１５ｂの非変形性を高め、括れ粘着領域１５ｓの変形が後方コア部２２へ伝播することを効果的に抑制することができる。したがって、ナプキン１の後方におけるフィット性も向上させることができる。
【００４０】
例えば、後方テーパ領域２５は、前方テーパ領域２４よりも縦方向Ｘに沿って大きな長さ寸法を有していてもよい。これにより、前方コア部２０及び後方コア部２２の幅が略同一に構成される場合であっても、後方テーパ領域２５を前方テーパ領域２４よりも緩やかなテーパ形状に構成することができる。
【００４１】
さらに、括れ粘着領域１５ｓも前後非対称に構成されることで、横方向Ｙの外力が付加された場合に、括れ粘着領域１５ｓの変形を着用者の前後非対称な身体形状に沿った形状に誘導することができる。したがって、ナプキン１のフィット性及び着用感を向上させることができる。
【００４２】
［中間コア部の他の構成例］
中間コア部２１の形状は、図６〜図１０に示すように、種々の形状を採り得る。
例えば図６に示すように、中間コア部２１の後半部分２１ｂに、括れ領域２１ｓに向かって突出する凸状部２１ｃが形成されていてもよい。図６では、後半部分２１ｂに、後方テーパ領域２５と凸状部２１ｃの双方が形成されている例を示す。凸状部２１ｃは、図６に示すように、複数形成されていてもよいし、単数形成されていてもよい。
凸状部２１ｃにより、後半部分２１ｂの面積を増大させることができ、後半部分２１ｂの平面視における面積を前半部分２１ａよりも大きくすることができる。したがって、後方コア部２２の圧縮変形を効果的に抑制することができる。
【００４３】
図７に示すように、中間コア部２１が、前方テーパ領域２４と後方テーパ領域２５とで構成され、幅寸法が一定の幅狭領域２３を有さなくてもよい。
この場合、前方テーパ領域２４と後方テーパ領域２５との境界部が、前半部分２１ａに形成されていてもよく、例えば、後方テーパ領域２５が前半部分２１ａから後半部分２１ｂの全長にわたって形成されていてもよい。これによっても、前半部分２１ａ及び後半部分２１ｂを非対称に構成できるとともに、後半部分２１ｂの平面視における面積を前半部分２１ａよりも大きく構成することができる。したがって、後方コア部２２の圧縮変形を効果的に抑制することができる。
【００４４】
図８に示すように、前方テーパ領域２４及び後方テーパ領域２５の外縁が曲線で構成され、前方テーパ領域２４の外縁は後方テーパ領域２５の外縁よりも曲率半径が大きくてもよい。これにより、後方テーパ領域２５の外縁を前方テーパ領域２４の外縁よりも急なカーブで構成でき、後方テーパ領域２５を前方テーパ領域２４よりも単位長さあたりの幅寸法の増加量が小さい構成とすることができる。また、後方テーパ領域２５の長さ寸法を前方テーパ領域２４よりも大きくすることができる。
この構成により、前方テーパ領域２４は、鼠径部に対応する幅が急激に広がる形状により適した形状となり、後方テーパ領域２５は、臀部の形状に沿う幅が緩やかに広がる形状により適した形状となる。
なお、前方テーパ領域２４及び後方テーパ領域２５各々の外縁の曲率半径が、部分毎に異なっている場合は、各外縁の曲率半径の平均値を各領域の曲率半径の値とする。
【００４５】
あるいは、図９に示すように、後方テーパ領域２５の外縁の曲線形状は内方に凸な形状に限定されず、外方に凸な形状であってもよい。つまり、後方テーパ領域２５が、後半部分２１ｂに形成された括れ領域２１ｓに向かって突出する凸状部２１ｃとして構成されてもよい。これにより、後方粘着領域１５ｂの面積を増大させることができ、後方コア部２２の変形防止効果を高めることができる。
また、図１０に示すように、凸状部２１ｃの形状は限定されず、凸状部２１ｃが縦方向Ｘ前方に向かって突出していてもよい。
【００４６】
［吸収性コアの坪量分布］
吸収性コア１６は、吸収性及びフィット性等の観点から、領域毎の坪量を調整することができる。坪量は、圧搾溝部Ｅを除く領域において厚みと同義であってもよく、剛性と正の相関を有する。このことから、吸収性コア１６の坪量分布によっても、外力が付加された場合の吸収性コア１６の変形を制御することができる。
【００４７】
例えば、図１１に示すように、後方テーパ領域２５は、前方テーパ領域２４よりも厚み方向Ｚの厚み寸法が大きく、大きな坪量を有していてもよい。これにより、前方テーパ領域２４は、後方テーパ領域２５よりも変形しやすく、着用者の上方（腹側）に向かって容易に湾曲可能な構成となり、後方テーパ領域２５は、変形が抑えられ、着用者の臀部に向かって緩やかに湾曲可能な構成となる。すなわち、前方テーパ領域２４及び後方テーパ領域２５に対して、それぞれに適した変形性を付与し、ナプキン１のフィット性を高めることができる。
さらに、後方テーパ領域２５の坪量を大きくすることで、横方向Ｙの外力が付加された場合の後方テーパ領域２５の圧縮変形を抑制し、後方コア部２２への変形の伝搬を効果的に防止することができる。
【００４８】
中間コア部２１は、他の領域よりも坪量が高く厚く形成された高坪量部２６を含んでいてもよい。図４では、高坪量部２６をドットパターンで示している。高坪量部２６の構成については、後述する。
また、各部の坪量（厚み寸法）の関係は図１１に示す例に限定されない。例えば、前方コア部２０は、前方テーパ領域２４よりも小さい坪量を有していてもよく、大きい坪量を有していてもよい。同様に、後方コア部２２は、後方テーパ領域２５よりも小さい坪量を有していてもよく、大きい坪量を有していてもよい。
【００４９】
［境界溝部の構成］
図３に示すように、吸収性コア１６は、中間コア部２１の後方コア部２２との境界部分２１ｄに形成された横方向Ｙに延びる境界溝部２７をさらに有する。
境界部分２１ｄは、中間コア部２１の後半部分２１ｂをさらに縦方向Ｘに２等分したうちの、後方側の領域をいうものとする。図３では、境界溝部２７は、幅狭領域２３と後方テーパ領域２５との間に形成されている。
【００５０】
境界溝部２７には、吸収性コア１６の厚み方向Ｚの上面から下方に向かって沈み込む溝が形成されており、周囲より低い坪量を有する。坪量と厚みとは相関関係を有することから、境界溝部２７の底部の厚みは、境界溝部２７の周囲と比較して相対的に薄く構成される。なお、図１１では、各溝部を省略して記載している。
【００５１】
境界溝部２７は、中間コア部２１の横方向Ｙ全長にわたって形成されている。これに限られず、境界溝部２７は、中間コア部２１の横方向Ｙの一部に形成されていてもよい。
また、境界溝部２７の幅や深さ（底部の厚み）は、後述する作用効果が得られるように適宜設定することができる。
【００５２】
境界溝部２７により、境界部分２１ｄが低坪量で薄く形成される。このため、中間コア部２１に変形が生じた場合、境界溝部２７によって、当該変形に起因する張力が後方コア部２２に伝搬することを防止することができる。したがって、就寝時等に生じやすい後方コア部２２の圧縮変形やヨレをより確実に抑制し、ナプキン１の後方におけるフィット性をさらに向上させることができる。
【００５３】
さらに、吸収性コア１６は、中間コア部２１の前方コア部２０との境界部分２１ｅに形成された横方向Ｙに延びる境界溝部２８をさらに有していてもよい。
境界部分２１ｅは、中間コア部２１の前半部分２１ａをさらに縦方向Ｘに２等分したうちの、前方側の領域をいう。図３に示す例では、境界溝部２８は、幅狭領域２３と前方テーパ領域２４との境界に位置している。境界溝部２８により、前方コア部２０の変形をより確実に抑制し、ナプキン１の前方におけるフィット性をさらに向上させることができる。
【００５４】
さらに、図３に示すように、吸収性コア１６は、境界溝部２７，２８の他にも低坪量の溝部を有していてもよい。
吸収性コア１６は、縦溝部２９と、横溝部３０と、環状溝部３１とをさらに有する。縦溝部２９、横溝部３０、及び環状溝部３１は、吸収性コア１６の厚み方向Ｚの上面から下方に向かって沈み込む溝を含む。前方コア部２０、中間コア部２１及び後方コア部２２は、それぞれ、これらの溝によって分割されている。低坪量で変形しやすい縦溝部２９、横溝部３０、及び環状溝部３１を設けることで、吸収性コア１６の柔軟性を高めることができる。
縦溝部２９、横溝部３０、及び環状溝部３１の構成については、後述する。
【００５５】
［コアラップシートの構成］
図２及び図１２に示すように、吸収体１１は、吸収性コア１６の他、コアラップシート１７を有する。コアラップシート１７は、吸収性コア１６の表裏を被覆するように、吸収性コア１６の横方向Ｙに巻き付けられる。コアラップシート１７を設けることにより、流通時や着用時において吸収性コア１６の構造を保護することができるとともに、上述の外力に対する緩衝作用を高める作用も有する。以下、詳細について説明する。
【００５６】
コアラップシート１７は、上述のように、紙、不織布等により形成される。つまり、コアラップシート１７は、吸収性コア１６よりも剛性が十分に低いシート材で構成されている。コアラップシート１７は、１枚のシート材で構成されてもよいし、複数のシート材で構成されてもよい。コアラップシート１７は、例えば所定のパターンに塗工された接着剤等によって、表面シート１２及び裏面シート１３に接合されてもよい。
【００５７】
コアラップシート１７の横方向Ｙに沿った幅寸法は、例えば縦方向Ｘに沿って均一に構成されるが、これに限定されず、例えば後述する括れ被覆部３６において他の領域よりも小さい幅寸法を有するように構成されてもよい。
コアラップシート１７の縦方向Ｘに沿った長さ寸法は、吸収性コア１６の縦方向Ｘの長さ寸法（全長）と同等に形成されるが、これに限られず、吸収性コア１６の全長よりも長くてもよいし短くてもよい。
【００５８】
図１２に示すように、コアラップシート１７は、吸収性コア１６の各部を被覆するコア被覆部３３，３４及び３５と、吸収性コア１６の一対の括れ領域２１ｓを被覆する一対の括れ被覆部３６とを有する。
コア被覆部は、前方コア部２０を被覆する前方コア被覆部３３と、中間コア部２１を被覆する中間コア被覆部３４と、後方コア部２２を被覆する後方コア被覆部３５とを含む。中間コア被覆部３４は、さらに、前半部分２１ａを被覆する前半被覆部３４ａと、後半部分２１ｂを被覆する後半被覆部３４ｂと、を含む。図１２には、吸収性コア１６の概形が破線で、各々のコア被覆部３３〜３５，３４ａ，３４ｂと括れ被覆部３６との境界が一点鎖線で示される。
コアラップシート１７は、吸収性コア１６よりも剛性が十分に低いシート材で構成されているため、吸収性コア１６の形状に対応する形状で吸収性コア１６を被覆する。
【００５９】
一方、括れ被覆部３６は、前方コア被覆部３３から縦方向Ｘに延出し、後方コア被覆部３５に達するように延びている。このため、括れ被覆部３６は、前方コア被覆部３３と後方コア被覆部３５によって縦方向Ｘに一定の張力を付与された状態で維持される。
【００６０】
括れ被覆部３６は、横方向Ｙから外力を受けると、縦方向Ｘに所定の張力を発生させ、これが横方向Ｙからの外力に対する抗力として働く。つまり、ナプキン１では、括れ粘着領域１５ｓによって裏面シート１３及び着衣が外力に対する緩衝作用を発揮するのに加え、括れ被覆部３６も同様の緩衝作用を発揮することができる。その結果、外力に対する緩衝効果が高まり、吸収性コア１６の圧縮変形を効果的に防止し、ナプキン１のフィット性をさらに高めることができる。
【００６１】
括れ被覆部３６は、接着剤やヒートシール等によって表面シート１２及び裏面シート１３に接合されてもよい。これにより、括れ領域２１ｓに外力が付加された場合、粘着部１５が設けられた裏面シート１３、コアラップシート１７及び表面シート１２が一体となって変形し、緩衝作用を発揮することができる。したがって、吸収性コア１６の圧縮変形をさらに効果的に防止することができる。
なお、括れ被覆部３６だけでなく、コアラップシート１７の他の領域も表面シート１２及び裏面シート１３に接合されてもよく、コアラップシート１７の全面が接合されてもよい。
【００６２】
［表面シートの構成］
表面シート１２は、上述のように、括れ被覆部３６に接合され、コアラップシート１７及び裏面シート１３等とともに外力に対する緩衝作用を発揮し得る。そこで、より高い緩衝作用を得る観点から、表面シート１２を以下のように形成することができる。
【００６３】
図１３及び図１４に示すように、表面シート１２は、厚み方向Ｚに圧縮されている線状エンボス部３７と、線状エンボス部３７に囲まれて厚み方向Ｚ外方に突出する凸部３８と、を有する。
線状エンボス部３７及び凸部３８は、括れ被覆部３６に接合されている領域に形成されていればよいが、表面シート１２全体に形成されていてもよい。
なお、表面シート１２は、ナプキン１において、その厚み方向とナプキン１の厚み方向とが一致するように配置される。このため、以下では、厚み方向Ｚを表面シート１２の厚み方向Ｚと同義に用いる。
【００６４】
線状エンボス部３７は、横方向Ｙに対してそれぞれ鋭角α、βをなして傾斜し、相互に交差する第１線状エンボス群３９及び第２線状エンボス群４０を含む。第１線状エンボス群３９及び第２線状エンボス群４０は、延在方向が平行で、かつ一定の間隔で配列された複数の線状エンボス３９ａ，４０ａをそれぞれ含む。
第１線状エンボス群３９の横方向Ｙに対する角度αは、０度より大きく９０度未満であり、２０度以上７０度以下がさらに好ましい。同様に、第２線状エンボス群４０の横方向Ｙに対する角度βは、０度より大きく９０度未満であり、２０度以上７０度以下がさらに好ましい。また、第１線状エンボス群３９及び第２線状エンボス群４０の各線状エンボス３９ａ，４０ａの交差する角度は、鋭角（鈍角）でも、９０度でもよく、限定されない。
【００６５】
表面シート１２は、例えば、所定の繊維を材料とした不織布ウェブに対してエンボス加工を行うことで形成される。エンボス加工は、例えば、格子状パターンのエンボス形成用凸部が周面に形成されたエンボスロールと、平滑な周面を有し当該エンボスロールに対向して配置されたフラットロールとを用いて行うことができる。
【００６６】
表面シート１２を構成する繊維は、好適には、芯鞘型の熱接着性複合繊維を用いることができる。当該熱接着性複合繊維は、例えば、鞘部がポリエチレン樹脂（ＰＥ）、芯部がポリプロピレン樹脂（ＰＰ）からなる繊維、鞘部がポリエチレン樹脂（ＰＥ）、芯部がポリエチレンテレフタレート樹脂（ＰＥＴ）からなる繊維等である。但し、表面シート１２を構成する繊維は、これらに限定されない。
【００６７】
凸部３８は、平面視において、第１線状エンボス群３９のうちの２本の線状エンボス３９ａと、第２線状エンボス群４０のうちの２本の線状エンボス４０ａとによって形成された矩形状の領域内に形成される。なお、表面シート１２は、一方の面にのみ凸部３８が形成されていればよく、他方の面は平坦又は起伏がより緩やかであってもよい。
【００６８】
図１５に示すように、凸部３８は、中実な凸状の繊維集合体として構成される。凸部３８の表面は、巨視的には曲面で構成されるが、微視的には繊維に起因する凹凸が形成されていてもよく、各凸部３８の形状が同一でなくてもよい。凸部３８の構造は図１５の例に限定されず、中空であってもよく、また角柱状、角錐台状等の種々の形状を採り得る。
【００６９】
線状エンボス部３７は、厚み方向Ｚに圧縮されているため、凸部３８と比較して密度が高く、剛性が高い。つまり、表面シート１２がナプキン１の横方向Ｙに平行な外力を受けた場合、線状エンボス部３７が変形の起点となり、線状エンボス部３７間の凸部３８が厚み方向Ｚに隆起して変形する。これにより、横方向Ｙの外力のエネルギが、表面シート１２の変形によって消費される。したがって、表面シート１２が、括れ領域２１ｓ上において、裏面シート１３（及びコアラップシート１７）とともに緩衝作用を発揮することができる。
【００７０】
さらに、線状エンボス部３７は、各線状エンボス３９ａ，４０ａが横方向Ｙに対してそれぞれ鋭角をなしている。このため、横方向Ｙにおける外力のうち、線状エンボス３９ａ，４０ａのエンボス幅方向の分力が凸部３８の変形に寄与することとなる。すなわち、この構成により、凸部３８の変形に寄与する外力のエネルギを低減させることができる。さらに、各線状エンボス３９ａ，４０ａが相互に交差していることで、一方の線状エンボス３９ａ，４０ａの延在方向の分力が、他方の線状エンボス３９ａ，４０ａによって支持される。これにより、表面シート１２によって括れ領域２１ｓに付加される外力を緩和することができ、吸収性コア１６の圧縮変形をより効果的に抑制することができる。
【００７１】
［本実施形態の追加説明］
以下、本実施形態の説明を補足する。
【００７２】
（吸収性コアの各部の幅）
前方コア部２０及び後方コア部２２の幅寸法Ｄ１，Ｄ３は、好ましくは６０ｍｍ以上１００ｍｍ以下であり、より好ましくは７０ｍｍ以上９０ｍｍ以下である。
中間コア部２１の最も狭い部分（例えば幅狭領域２３）の幅寸法Ｄ２は、好ましくは４０ｍｍ以上７５ｍｍ以下であり、より好ましくは５０ｍｍ以上７０ｍｍ以下である。
【００７３】
（高坪量部の構成）
高坪量部２６は、他の領域よりも坪量が高く、図３及び図１１に示すように厚み方向Ｚ上方に突出する。本実施形態では、高坪量部２６は、中間コア部２１の幅狭領域２３の縦方向Ｘ全長にわたって延びている。しかし、高坪量部２６は、幅狭領域２３の縦方向Ｘの長さより短くてもよい。また、高坪量部２６は、幅狭領域２３の縦方向Ｘの長さより長くてもよく、更には、前方コア部２０及び後方コア部２２の少なくとも一方まで延在していてもよい。
着用時に着用者の排泄領域に対向して高坪量部２６を設けることで、排泄領域に対向する部分の剛性を高めることができる。これにより、高坪量部２６が、着用時に付加される横方向Ｙの外力に対して変形しにくくなる。したがって、ナプキン１において、着用者の排泄領域に対するフィット性を高め、縦方向Ｘの液の漏れを防止することができる。なお、図１１の形態に代えて、高坪量部２６が厚み方向Ｚ下方に突出する形態としてもよい。
【００７４】
（吸収性コアの坪量）
境界溝部２７，２８、縦溝部２９、横溝部３０及び環状溝部３１を除く吸収性コア１６の坪量は、好ましくは１００ｇ／ｍ２以上１０００ｇ／ｍ２以下であり、より好ましくは１５０ｇ／ｍ２以上９００ｇ／ｍ２以下である。
また、高坪量部２６の坪量は、好ましくは４００ｇ／ｍ２以上１０００ｇ／ｍ２以下であり、より好ましくは５００ｇ／ｍ２以上９００ｇ／ｍ２以下である。
【００７５】
（吸収性コアの坪量の測定方法）
吸収性コア１６の測定対象領域を、フェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００７６】
（縦溝部、横溝部及び環状溝部の構成）
縦溝部２９は、縦方向Ｘに沿って延び、横方向Ｙに沿って間隔をあけて配列されている。縦溝部２９は、前方コア部２０、中間コア部２１及び後方コア部２２のそれぞれに、縦方向Ｘの全長にわたって形成されている。
横溝部３０は、横方向Ｙに沿って延び、縦方向Ｘに沿って間隔をあけて配列されている。横溝部３０は、前方コア部２０、中間コア部２１及び後方コア部２２のそれぞれに、横方向Ｙの全長にわたって形成されている。
縦溝部２９及び横溝部３０を設けることで、吸収性コア１６の柔軟性を高めることに加え、縦溝部２９及び横溝部３０の内部に液を引き込むことで吸収性コア１６の液吸収速度を高めることができる。
【００７７】
環状溝部３１は、高坪量部２６の外縁に沿って形成されている。低坪量で変形しやすい環状溝部３１を設けることによって、高坪量部２６の周囲の変形が環状溝部３１に吸収されるため、高坪量部２６が周囲の変形の影響を受けにくくなる。
【００７８】
縦溝部２９、横溝部３０、及び環状溝部３１の形状や配置などの構成は、図３に記載された構成に限定されず、吸収性コア１６の形状や要求される機能等に基づいて適宜設定され得る。また、ナプキン１では、吸収性コア１６が、縦溝部２９、横溝部３０、環状溝部３１のうち少なくとも一つを有していなくてもよい。
【００７９】
なお、境界溝部２７，２８を含む各溝部２７〜３１の「低坪量」とは、吸収性コア１６の材料が存在する形態の他、吸収性コア１６の材料が存在しない形態も含む概念である。各溝部２７〜３１で吸収性コア１６の材料が存在する形態では、各溝部２７〜３１を介してその両側に位置する吸収性コア１６のブロック状部位が接続されているため、吸収性コア１６が動きによってヨレ・破壊・千切れ等が生じ難く、かつ柔軟性を付与することが出来るためより好ましい。
【００８０】
縦溝部２９、横溝部３０及び環状溝部３１の幅は、好ましくは、０．５ｍｍ以上１０ｍｍ以下であり、より好ましくは、１ｍｍ以上５ｍｍ以下である。環状溝部３１の深さは、例えば、０．５ｍｍ以上１０ｍｍ以下であり、縦溝部２９及び横溝部３０の深さは、例えば、０．５ｍｍ以上１０ｍｍ以下である。
【００８１】
なお、中間コア部２１において、縦溝部２９は、環状溝部３１よりも幅が太くても良い。その場合には、着用中に排泄領域に沿って吸収性コア１６が変形し易くなるとともに、排泄された液が縦方向Ｘに沿って拡散され易くなるという特長がある。縦溝部２９は環状溝部３１よりも０．５ｍｍ以上５ｍｍ以下大きいことが好ましく、１ｍｍ以上３ｍｍ以下大きいことがより好ましい。
【００８２】
表面シート１２を構成する不織布の坪量は、１０〜８０ｇ／ｍ２、特に１５〜６０ｇ／ｍ２であることが好ましい。
表面シート１２の凸部３８における厚み寸法は、乾燥状態において０．５〜３ｍｍ，特に０．７〜３ｍｍであることが好ましい。
【００８３】
以上、本発明の各実施形態について説明したが、本発明は上述の実施形態にのみ限定されるものではなく、本発明の要旨を逸脱しない範囲内において種々変更を加え得ることは勿論である。
【００８４】
以上の実施形態では、パッド状吸収性物品として生理用ナプキンの例を示したが、これに限定されない。本発明の吸収性物品は、例えば、尿取りパッドやおりものシート等であってもよい。
【符号の説明】
【００８５】
１…ナプキン（パッド状吸収性物品）
１１…吸収体
１２…表面シート
１３…裏面シート
１５…粘着部
１５ｐ…横方向周縁部
１６…吸収性コア
２０…前方コア部
２１…中間コア部
２１ａ…前半部分
２１ｂ…後半部分
２１ｓ…括れ領域
２２…後方コア部
【図１】
2019205781.tif 000003
【図２】
2019205781.tif 000004
【図３】
2019205781.tif 000005
【図４】
2019205781.tif 000006
【図５】
2019205781.tif 000007
【図６】
2019205781.tif 000008
【図７】
2019205781.tif 000009
【図８】
2019205781.tif 000010
【図９】
2019205781.tif 000011
【図１０】
2019205781.tif 000012
【図１１】
2019205781.tif 000013
【図１２】
2019205781.tif 000014
【図１３】
2019205781.tif 000015
【図１４】
2019205781.tif 000016
【図１５】
2019205781.tif 000017